(57)【要約】【課題】光ディスクの収納後から記録再生開始までに要する時間を短縮できる光ディスク装置を提供する。【解決手段】それぞれ異なるディスク種別の光ディスクに対して記録再生を行う光ピックアップＡ１１および光ピックアップＢ１２と、光ディスクのディスク種別を判別するディスク判別部１３と、光ディスクのディスク状態を信号形式で検出する信号検出部１４とを設けた光ディスク装置１００において、ＢＤ２００の記録再生開始前に、光ピックアップＡ１１を用いて、ディスク判別部１３によりディスク種別の判別を行うとともに、これと並行して、光ピックアップＢ１２を用いて、信号検出部１４によりディスク状態の検出を行う。【選択図】図２
2008310870.tif 000002
【特許請求の範囲】
【請求項１】
光ディスクに対して記録再生を行う第１の光ピックアップと、
前記第１の光ピックアップで記録再生を行う光ディスクとは異なるディスク種別の光ディスクに対して記録再生を行う第２の光ピックアップと、
前記第１の光ピックアップの動作の制御を行う第１の制御部と、
前記第２の光ピックアップの動作の制御を行う第２の制御部と、
を備えた光ディスク装置において、
記録再生を行う光ディスクのディスク種別を判別するディスク判別部と、前記光ディスクのディスク状態を信号形式で検出する信号検出部とを設け、
記録再生開始前に、前記第１の光ピックアップを用いて、前記ディスク判別部によりディスク種別の判別を行うとともに、前記第２の光ピックアップを用いて、前記信号検出部によりディスク状態の検出を行うことを特徴とする光ディスク装置。
【請求項２】
請求項１に記載の光ディスク装置において、
前記ディスク判別部によるディスク種別の判別結果に基づいて、前記第１または第２の光ピックアップのうち、一方の光ピックアップにて光ディスクの記録再生を行い、他方の光ピックアップにて記録再生中の光ディスクのディスク状態を検出することを特徴とする光ディスク装置。
【請求項３】
請求項1または請求項２に記載の光ディスク装置において、
前記信号検出部は、前記光ディスクのディスク状態の１つを表す反射光量について、検出した反射光量の変動率が、所定値と比較して大きい場合は、ディスク上の当該反射光量の検出位置において、前記第１または第２の制御部の動作を一定にし、動作を一定にした制御部の制御対象である前記第１または第２の光ピックアップの動作を安定させることを特徴とする光ディスク装置。
【発明の詳細な説明】
【技術分野】
【０００１】
本発明は、記録媒体の１つである光ディスクに対して、データの記録再生可能な光ピックアップを２つ備えた光ディスク装置に関するものである。
【背景技術】
【０００２】
近年、記録媒体として広く用いられているＣＤ（Compact  Disc）、ＤＶＤ（Digital Versatile  Disk）、ＢＤ（Blu-ray Disc；登録商標）などの光ディスクの記録再生を行う光ディスク装置において、例えば、ＣＤ／ＤＶＤ／ＢＤに対するデータの記録再生を１つの光ピックアップのみで行う光ディスク装置と、２つの光ピックアップを備え、一方の光ピックアップでＣＤ／ＤＶＤの記録再生を行い、他方の光ピックアップでＢＤの記録再生を行う光ディスク装置がある。
【０００３】
通常、光ピックアップを２つ備えた光ディスク装置においては、まず始めに、一方の光ピックアップを用いて、装置内に収納された光ディスクの種別や半径位置毎のチルト量／面振れ量／反射光量などを検出し、次に、当該光ディスクの記録再生に適した光ピックアップを選択し、最後に、選択した光ピックアップを用いてデータの記録再生を行うとともに、記録再生中の光ディスクの状態変化を検出し、検出結果に基づいて、同光ピックアップの制御を行う。記録再生中の光ディスクの状態変化の一例としては、光ディスクが高速回転を行うことに起因する光ディスクの面振れ量の変化や、光ディスク装置内の温度上昇に起因する光ディスクのチルト量の変化などが挙げられる。
【０００４】
上述したとおり、２つの光ピックアップを備えた光ディスク装置において、どちらか一方の光ピックアップのみを用いて、ディスク種別の検出やディスク状態の検出、収納された光ディスクに対するデータの記録再生を行うため、記録再生開始までに相当の時間を要し、また、記録再生中においても、光ディスクの状態変化に起因した記録再生に係る信号の劣化に対して、即座に補正処理を行うなどの対応ができない。
【０００５】
後掲の特許文献１では、光ディスクに対して記録を行う記録ヘッドと、同光ディスクに対して再生を行う再生ヘッドとを備えた光ディスク装置が記載されている。
この装置では、記録・再生動作前に再生ヘッドを走査することにより、記録済みの領域を検出し、検出結果を記憶し、記憶した情報に基づいて、未記録領域に対しての記録動作を行うと同時に、記録領域に対しての再生動作を行う。
【０００６】
特許文献２では、データを記録するセクタのＩＤ部の読み出しの確認およびデータの記録を行う先行光ヘッドと、データを記録するセクタのＩＤ部の読み出しの確認およびデータ部の読み出し確認を行う後方光ヘッドとを設けた光ディスク装置が記載されている。
この装置では、データ記録時において、先行光ヘッドと後方光ヘッドの両方を用いて、データを記録するセクタのＩＤ部の読み出しを行うことにより、データ記録直後のＩＤ部の読み出し確認の信頼性を向上させることができ、また、異常発生時においては、回復処理および異常が発生した光ヘッドを容易に検出することができる。
【０００７】
特許文献３では、レーザ光源から出射された光ビームを３つの光ビームに回折する回折手段と、光ディスクで反射された光ビームを３つの光ビームに回折する回折手段とを備えた光ヘッドを用いて、光ディスクに対して記録・再生の動作を行い、この動作時に発生するチルト量を検出し、検出結果に応じてコマ収差の補正を行う光ディスク装置が記載されている。
【０００８】
【特許文献１】特開平１１−３５２３号公報
【特許文献２】特開平５−１５１６０２号公報
【特許文献３】特開２００２−３２９３４０号公報
【発明の開示】
【発明が解決しようとする課題】
【０００９】
上記の特許文献１〜３には、１つの光ピックアップまたは２つの光ピックアップを備えた光ディスク装置が記載されているが、いずれの光ディスク装置も記録再生開始までに相当の時間を要し、また、記録再生中においても、光ディスクの状態変化に起因した記録再生に係る信号の劣化に対して、即座に対処できないため、安定した記録再生を継続することができない。
【００１０】
本発明は、上述した問題点に鑑み、光ディスクの収納後から記録再生開始までに要する時間を短縮できる光ディスク装置を提供することを課題とする。
本発明の他の課題は、記録再生中の光ディスクの状態変化に起因した記録再生に係る信号の劣化に対して、即座に対処し、安定した記録再生を継続することができる光ディスク装置を提供することにある。
【課題を解決するための手段】
【００１１】
本発明に係る光ディスク装置は、光ディスクに対して記録再生を行う第１の光ピックアップと、第１の光ピックアップで記録再生を行う光ディスクとは異なるディスク種別の光ディスクに対して記録再生を行う第２の光ピックアップと、第１の光ピックアップの動作の制御を行う第１の制御部と、第２の光ピックアップの動作の制御を行う第２の制御部とを備えており、記録再生を行う光ディスクのディスク種別を判別するディスク判別部と、光ディスクのディスク状態を信号形式で検出する信号検出部とを設けている。
そして、記録再生開始前に、第１の光ピックアップを用いて、ディスク判別部によりディスク種別の判別を行うとともに、第２の光ピックアップを用いて、信号検出部によりディスク状態の検出を行う。
【００１２】
このようにすることで、一方の光ピックアップの出力に基づいて、記録再生を行う光ディスクのディスク種別を判別し、これと並行して、他方の光ピックアップの出力に基づいて、同光ディスクのディスク状態を検出できるため、光ディスクの収納から記録再生開始までに要する時間を短縮させることができる。
【００１３】
本発明の光ディスク装置においては、ディスク判別部によるディスク種別の判別結果に基づいて、第１または第２の光ピックアップのうち、一方の光ピックアップにて光ディスクの記録再生を行い、他方の光ピックアップにて記録再生中の光ディスクのディスク状態を検出する。
【００１４】
このようにすることで、記録再生開始後は、一方の光ピックアップにて、光ディスクに対するデータの記録再生を行い、これと並行して、他方の光ピックアップにて同光ディスクの記録再生中におけるディスク状態を検出するため、検出したディスク状態に基づき、記録再生を行っている光ピックアップの動作を制御することができる。
【００１５】
本発明の光ディスク装置において、信号検出部は、光ディスクのディスク状態の１つを表す反射光量について、検出した反射光量の変動率が、所定値と比較して大きい場合は、ディスク上の当該反射光量の検出位置において、第１または第２の制御部の動作を一定にし、動作を一定にした制御部の制御対象である第１または第２の光ピックアップの動作を安定させる。
【００１６】
このようにすることで、光ディスク面上の傷や指紋の痕跡が存在する箇所において、データの記録再生動作不良による光ピックアップの制御不良を防止することが出来るため、安定した記録再生を行うことができる。
【発明の効果】
【００１７】
本発明によれば、一方の光ピックアップで光ディスクのディスク種別を判別するとともに、並行して、他方の光ピックアップでディスク状態を検出するため、光ディスクの収納後から記録再生開始までに要する時間を短縮することができる。
また、光ディスクの記録再生中において、一方の光ピックアップで光ディスクの記録再生を行うとともに、これと並行して、他方の光ピックアップで記録再生中の光ディスクのディスク状態を検出することにより、記録再生中の光ディスクの状態変化に起因した記録再生に係る信号の劣化に対して、即座に対処し、安定した記録再生を継続することができる。
【発明を実施するための最良の形態】
【００１８】
以下、本発明の実施形態につき、図面を参照しながら説明する。
【００１９】
図１は、本発明に係る光ディスク装置の一例を示した図である。
図中、１００は光ディスク装置、２００は青紫色のレーザ光を光ディスク面上に照射することにより記録再生を行うＢＤ、１１はＣＤ／ＤＶＤの記録再生を行う光ピックアップＡ、１２はＢＤの記録再生を行う光ピックアップＢである。
また、１５０は記録再生を行う際にＢＤ２００を回転させるスピンドルモータ、１６０はスピンドルモータ１５０にてＢＤ２００を回転させる際に同ＢＤ２００を載置するターンテーブル、１７０は光ピックアップＡ１１および光ピックアップＢ１２を移動自在に支持する第１のガイドシャフト、１８０は第１のガイドシャフト１７０と平行して設けられており、光ピックアップＡ１１および光ピックアップＢ１２を移動自在に支持する第２のガイドシャフトである。
【００２０】
図２は、光ディスク装置１００を示したブロック図である。
図２では、図１と同一部分または対応する部分に同一符号を付してある。
図中、１３は光ディスク装置１００内に収納された光ディスクのディスク種別を判別するディスク判別部である。
１４は信号検出部であって、光ディスク装置１００内に収納された光ディスクの半径位置毎のディスク状態を電気信号形式で検出する。
ここでは、ディスク状態として、ターンテーブル１６０に載置された光ディスクが、スピンドルモータ１５０によって高速回転を行うことに起因する光ディスクの面振れ量と、光ディスク装置内の温度上昇に起因する光ディスクのチルト量と、光ピックアップＡ１１または光ピックアップＢ１２の光源（図示省略）から照射され、光ディスク面上で反射されたレーザ光の反射光量とを検出する。
１５は信号検出部１４にて検出された検出結果を記憶するメモリである。
【００２１】
また、１６は光ピックアップＡ１１の光源（図示省略）から照射され、ＢＤ２００面上で反射されたレーザ光の反射光量を、信号検出部１４にて検出された反射光量に基づいて増幅する増幅部Ａ、１７は信号検出部１４で検出された面振れ量・反射光量に基づき、フォーカス駆動制御およびトラッキング駆動制御を行うサーボ部Ａ、１８は信号検出部１４で検出されたチルト量に基づき、チルト駆動制御を行うチルト部Ａ、１９は光ピックアップＡ１１のディスク半径方向における位置を制御するスレッド部Ａであり、増幅部Ａ１６〜スレッド部Ａ１９により、本発明における一方の制御部が構成されている。
【００２２】
２０は光ピックアップＢ１２の光源（図示省略）から照射され、ＢＤ２００面上で反射されたレーザ光の反射光量を、信号検出部１４にて検出された反射光量に基づいて増幅する増幅部Ｂ、２１は信号検出部１４で検出された面振れ量・反射光量に基づき、フォーカス駆動制御およびトラッキング駆動制御を行うサーボ部Ｂ、２２は信号検出部１４で検出されたチルト量に基づき、チルト駆動制御を行うチルト部Ｂ、２３は光ピックアップＢ１２のディスク半径方向における位置を制御するスレッド部Ｂであり、増幅部Ｂ２０〜スレッド部Ｂ２３により、本発明における他方の制御部が構成されている。
【００２３】
さらに、３１は信号検出部１４の接続先を切り替えるスイッチＥ、３２はスイッチＥ３１の切り替えに連動して切り替わるスイッチＦ、３３はスイッチＥ３１およびスイッチＦ３２の切り替えを行うスイッチ切替部である。
【００２４】
ここで、光ディスク装置１００においては、通常、光ピックアップＡ１１を用いて装置内に収納された光ディスクのディスク種別を判別し、光ピックアップＢ１２を用いてディスク状態の検出を行うため、スイッチＥ３１およびスイッチＦ３２は図２に示すように「ｍ側」に位置している。
【００２５】
そして、ディスク判別部１３によるディスク種別の判別の結果、ディスク種別が「ＣＤまたはＤＶＤ」の場合は、記録再生に光ピックアップＡ１１を用い、ディスク状態の検出に光ピックアップＢ１２を用いるため、スイッチ切替部３３によるスイッチＥ３１およびスイッチＦ３２の切り替えは行われず、スイッチＥ３１およびスイッチＦ３２は「ｍ側」に位置したままの状態となる。
【００２６】
また、ディスク種別が「ＢＤ」の場合は、記録再生に光ピックアップＢ１２を用い、ディスク状態の検出に光ピックアップＡ１１を用いるため、スイッチ切替部３３によりスイッチＥ３１およびスイッチＦ３２の切り替えが行われ、スイッチＥ３１およびスイッチＦ３２は「ｎ側」に位置することとなる。
【００２７】
図３は、光ディスク装置１００内に光ディスクを収納し、記録再生を終了させるまでの過程を示したフローチャートである。
【００２８】
ステップＳ１で、ＢＤ２００を光ディスク装置１００内に収納することにより、ステップＳ２−１では、光ピックアップＡ１１が稼働を開始し、ステップＳ２−２では、ステップＳ２−１の光ピックアップＡ１１の稼働に連動して光ピックアップＢ１２が稼働を開始する。
【００２９】
ステップＳ３−１では、光ピックアップＡ１１の稼働によりディスク判別部１３にて光ディスク装置１００内に収納されたＢＤ２００のディスク種別の判別が行われ、ステップＳ３−２では、光ピックアップＢ１２の稼働により、信号検出部１４にて、ＢＤ２００の半径位置毎の面振れ量・チルト量・反射光量、すなわちディスク状態が検出される。
【００３０】
ステップＳ４−１では、ディスク判別部１３にて収納されたＢＤ２００の種別が「ＢＤ」であることが判別され、判別後、光ピックアップＡ１１は稼働を一時停止し、ステップＳ４−２では、信号検出部１４で検出されたＢＤ２００の半径位置毎の面振れ量・チルト量・反射光量がメモリ１５に保存され、保存後、光ピックアップＢ１２は稼働を一時停止する。
【００３１】
ステップＳ５では、ステップＳ４−１での光ピックアップＡ１１の稼働一時停止およびステップＳ４−２での光ピックアップＢ１２の稼働一時停止を受け、スイッチ切替部３３が、スイッチＥ３１およびスイッチＦ３２の切り替えを行う。
この場合、ディスク判別部１３による判別結果に基づき、スイッチの切り替えを行うため、上述したとおり、ディスク種別が「ＣＤまたはＤＶＤ」の場合は切り替えが行われず、ディスク種別が「ＢＤ」の場合のみ切り替えが行われる。
ステップＳ４−１では、ディスク種別が「ＢＤ」であると判別されたため、スイッチＥ３１およびスイッチＦ３２は、図４に示すとおり「ｎ側」に切り替わる。
【００３２】
ステップＳ６−１では、光ピックアップＢ１２が再稼動し、ＢＤ２００に対して記録再生を開始し、ステップＳ６−２では、光ピックアップＢ１２の再稼動に伴って光ピックアップＡ１１が再稼動し、ＢＤ２００のディスク状態の検出を開始する。
【００３３】
ステップＳ７ではＢＤ２００のディスク状態の検出結果に基づいて、光ピックアップＢ１２を制御し、記録再生を行うための動作を安定させる。
ステップＳ６−１からステップＳ７の詳細は後述する。
【００３４】
ステップＳ８−１では、ＢＤ２００の記録再生を終了し、ステップＳ８−２では、ステップＳ８−２におけるＢＤ２００の記録再生終了に伴い、ＢＤ２００のディスク状態の検出を終了する。
【００３５】
図５は、記録再生中の光ディスクの状態変化に起因した信号の劣化に対する対処手順を示したフローチャートであり、上述した図３のステップＳ６−１からステップＳ７までを更に詳細に表したものである。
図５中のステップＳ９は、図３中のステップＳ６−１およびステップＳ６−２に対応しており、図５中のステップＳ１０からステップＳ１６は、図３中のステップＳ７における処理を詳細に表したものである。
【００３６】
ステップＳ９では、光ピックアップＢ１２によって、ディスク半径方向の位置Ｒ〔ｍｍ〕よりＢＤ２００の記録再生が開始され、光ピックアップＡ１１によって、ディスク半径方向の位置Ｒ＋α〔ｍｍ〕（α＞０）よりＢＤ２００のディスク状態の検出が開始される。
このように、光ピックアップＡ１１によるディスク状態の検出開始位置を光ピックアップＢ１２による記録再生開始位置の外側に位置させ、スレッド部Ａ１９およびスレッド部Ｂ２３により互いの間隔が常に一定となるように制御することで、記録再生前にディスク状態を検出することができる。
【００３７】
ステップＳ１０では、光ピックアップＡ１１によるＢＤ２００のディスク状態の検出開始に伴い、信号検出部１４にて面振れ量・チルト量・反射光量が検出される。
ここで、新たに検出された面振れ量・チルト量・反射光量のうち、いずれか１つでも図３のステップＳ３−２で検出した面振れ量・チルト量・反射光量と異なるものがある場合は、上述したディスク状態の変化に起因して信号が劣化していると言える。
【００３８】
ステップＳ１１では、ステップＳ１０で検出された面振れ量・チルト量・反射光量のうち、反射光量に関して、直前に検出された反射光量と比較した場合の変動率が許容範囲か否か（例えば、反射光量の変動率が５０％未満か否か）が判断され、許容範囲内であれば（ステップＳ１１：ＹＥＳ）、ステップＳ１２へ進み、許容範囲を超える場合は（ステップＳ１１：ＮＯ）、ステップＳ１３以下へ進む。
【００３９】
ステップＳ１２ではステップＳ１０で新たに検出した面振れ量・チルト量・反射光量および検出した位置（ディスク半径方向の位置）をメモリ１５に保存する。
【００４０】
ステップＳ１３では、ステップＳ１１の結果を受け、検出した反射光量の変動率が許容範囲を超える場合に、検出位置をディフェクト箇所（例えば、傷や指紋の痕跡などにより光ディスクに対してデータの記録再生が実行できない箇所）として認識し、このディフェクト箇所の位置をメモリ１５に保存する。
【００４１】
ステップＳ１４では、光ピックアップＢ１２によって記録再生が行われる各区域毎にディフェクト箇所があるか否かが、メモリ１５に保存された情報に基づいて判断され、ディフェクト箇所がある場合は（ステップＳ１４：ＹＥＳ）、ステップＳ１５へ進み、ない場合は（ステップＳ１４：ＮＯ）、ステップＳ１６へ進む。
【００４２】
ステップＳ１５では、光ピックアップＢ１２がディフェクト箇所に位置する直前（例えば、５０〔μｓ〕前）から光ピックアップＢ１２が当該ディフェクト箇所を通過するまでの間、サーボ部Ｂ２１により、フォーカス制御やトラッキング制御における駆動信号を一定にすることによって、光ピックアップＢ１２のフォーカスサーボやトラッキングサーボをホールド状態にする。
これにより、ディフェクト箇所においても、サーボ動作を安定させることができるため、記録再生のエラーなどを未然に防止することができる。
【００４３】
ステップＳ１６では、メモリ１５に保存されたディスク状態を示す情報（面振れ量・チルト量・反射光量および検出した位置）を基に、記録再生が行われる各区域毎のディスク状態に応じて、サーボ部Ｂ２１によるフォーカス制御やトラッキング制御、およびチルト部Ｂ２２によるチルト制御を行うことによって、光ピックアップＢ１２の記録再生に係る動作を安定させる。
【００４４】
上述した実施形態によれば、光ピックアップＡ１１でＢＤ２００のディスク種別を判別するとともに、これと並行して、光ピックアップＢ１２でディスク状態を検出するため、光ディスクの収納後から記録再生開始までに要する時間を短縮できる。
さらに、ＢＤ２００の記録再生中においては、光ピックアップＢ１２で記録再生を行うとともに、これと並行して、光ピックアップＡ１１で記録再生中のＢＤ２００のディスク状態を検出するため、記録再生中の光ディスクの状態変化に起因した記録再生に係る信号の劣化に対して、即座に対処し、安定した記録再生を継続することができる。
【００４５】
上述の実施形態においては、光ピックアップＡ１１をＣＤ／ＤＶＤの記録再生を行う光ピックアップとし、光ピックアップＢ１２はＢＤの記録再生を行う光ピックアップＢとしたが、記録再生を行うディスク種別はこれに限られるものではない。例えば、光ピックアップＡ１１をＤＶＤの記録再生を行う光ピックアップとし、光ピックアップＢ１２をＨＤ（High Definition）ＤＶＤの記録再生を光ピックアップとしてもよい。
【図面の簡単な説明】
【００４６】
【図１】本発明に係る光ディスク装置の一例を示した図である。
【図２】光ディスク装置を示したブロック図である。
【図３】光ディスク装置内に光ディスクを収納し、記録再生を終了させるまでの過程を示したフローチャートである。
【図４】スイッチ切替部によるスイッチ切り替え後の光ディスク装置を示したブロック図である。
【図５】記録再生中の光ディスクの状態変化に起因した信号の劣化に対する対処手順を示したフローチャートである。
【符号の説明】
【００４７】
１１，１２  光ピックアップ
１３  ディスク判別部
１４  信号検出部
１５  メモリ
３３  スイッチ切替部
１００  光ディスク装置
２００  ＢＤ
【図１】
2008310870.tif 000003
【図２】
2008310870.tif 000004
【図３】
2008310870.tif 000005
【図４】
2008310870.tif 000006
【図５】
2008310870.tif 000007